【事件の表示】
　平成１１年特許願第１７４８８２号「可逆性感熱記録媒体および可逆性感熱記録装置」拒絶査定不服審判事件〔平成１３年　１月　９日出願公開、特開２００１−　　１６４４〕について、次のとおり審決する。
【結　論】
　本件審判の請求は、成り立たない。
【理　由】
１．手続の経緯・本願発明
　本願は、平成１１年６月２２日の出願であって、平成１７年４月１３日付けで拒絶査定がなされ、審判請求の後に、当審において拒絶理由が通知され、その指定期間内である平成１９年７月９日付けで明細書の補正がなされたものであり、その請求項１ないし３に係る発明は、特許請求の範囲の請求項１ないし３に記載された事項により特定されるとおりのものであるところ、その請求項１に係る発明（以下「本願発明」という。）は以下のとおりのものである
「【請求項１】　支持体の表面に、中央部に横方向又は縦方向の全巾に対して大きくとも５０％の巾で一端から他端まで達する記録領域が形成され、その記録領域を挟むようにそれぞれが該全巾の２５％以上の巾で二つの非記録領域が形成され、全体として正方形又は矩形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有し、前記消色した状態は、１３０〜１６０℃の消色温度に加熱されることにより形成される可逆性感熱記録層であることを特徴とする可逆性感熱記録媒体。」
　
２．引用刊行物の記載内容 
　当審における拒絶理由で引用した、本願の出願前に日本国内において頒布された特開平１０−７６７８０号公報（以下「刊行物１」という。）には次のような事項が記載されている。
(1)「【請求項１】  プラスチックシート単体又はそれらを積層してなるカード基材に、支持体上に光反射層、樹脂母材と、この樹脂母材中に分散された有機低分子物質とを主成分とし温度に依存してその白濁・透明度が可逆的に変化する可逆性感熱記録層と、保護層を順次設けてなる可逆性感熱記録部を、接着剤を介して前記カード基材表面と面一に設けたことを特徴とする可逆性感熱記録カード。」
(2)「【００１８】図１は、本発明の可逆性感熱記録カード１の一実施例を示す平面図であり、図２は図１の可逆性感熱記録カード１のＸ−Ｘ線における断面図であり、基本的構成を示す。すなわち、図２に示すように、プラスチックシートからなるセンターコア３とプラスチックシートからなるオーバーシート４，４を積層したカード基材２の表面と面一となるように可逆性感熱記録部５を形成し、さらにカード基材２中に磁気記録部又はＩＣ記録部等の情報記録部１２を形成してなる可逆性感熱記録カードである。また必要に応じて他の領域に文字、数字を浮き彫りにしたエンボス１３を設けることができる。このように面一とはカード基材２と可逆性感熱記録部５を接着する際、このカード基材２表面と可逆性感熱記録部５との間に凹凸がほとんどない、引っかかりのない状態であり、本発明ではこの凹凸の段差は３０μｍ以下のものと定義している。なお、可逆性感熱記録部５はカード基材２の片側又は両面側に設けても差し支えないものである。」
(3)「【００４０】
【実施例】以下、具体的実施例を説明する。
【００４１】
＜実施例１＞厚み５６０μｍの白色塩化ビニルシートからなるセンターコア３と、表裏に厚み１００μｍの透明塩化ビニルシートからなるオーバーシート４，４をラミネートしてカード基材２を構成し、このカード基材２上に６５０Ｏｅ磁気転写テープからなる情報記録部１２と、可逆性感熱記録部５を設け、熱ラミネート法によりプレス温度１００℃、プレス圧力６００Ｋｇ／ｃｍ2 で支持体５−１に情報記録部１２と可逆性感熱記録部５を埋め込み可逆性感熱記録カード１を得た。
【００４２】実施例１における可逆性感熱記録部５は、厚み２５μｍの透明ポリエチレンテレフタレート（ＰＥＴ）からなる支持体６上に、光反射層７を真空蒸着法を用いた膜厚０．０５μｍのＡｌ層を形成し、この上に下記に示すアンカー層塗料をグラビア法を用いて乾燥温度１２０℃、塗布厚２μｍにしてアンカー層８を設け、この上に下記に示す可逆性感熱記録層塗料をグラビア法を用いて乾燥温度１２０℃、塗布厚１０μｍにし可逆性感熱記録層９を設け、さらにこの上に下記に示す保護層塗料をグラビア法を用いて塗布厚５μｍにし、その後１５００ｍＪ／ｃｍ2 の紫外線を照射し保護層１０を設けた。」
(4)「【００５３】さらに可逆性感熱記録部の情報記録データと情報記録部の可視表示データを対で記録することにより、何れかを改竄・改変した場合に容易に不正カードを判別でき、その使用の抑止効果を有する。
【図面の簡単な説明】
【図１】本発明の可逆性感熱記録カード１の一実施例を示す平面図である。
・・・・・・・・・・・・・・・・・・・・・・・・・・・・・・・・・・
【符号の説明】
　　１　　　　可逆性感熱記録カード
　　２　　　　カード基材
　　３　　　　センターコア
　　４　　　　オーバーシート
　　５　　　　可逆性感熱記録部
　　６　　　　支持体
　　７　　　　光反射層
　　８　　　　アンカー層
　　９　　　　可逆性感熱記録層
　１０　　　　保護層
　１１　　　　接着剤
　１２　　　　情報記録部
　１３　　　　エンボス」
(5)「
」
　
　同じく特開平１１−１３８９９０号公報（以下「刊行物２」という。）には次のような事項が記載されている。
(6)「【請求項１】　基材と、
該基材上に形成されている転写層とからなる可逆性感熱記録転写シートにおいて、前記転写層は、
基材上に形成された剥離層と、
該剥離層上に形成された保護層と、
該保護層上の一部に形成された印刷層と、
すくなくとも前記印刷層上に形成された隠蔽層と、
前記保護層上の前記印刷層および隠蔽層の形成されていない部分に形成された可逆性感熱記録層と、
該可逆性感熱記録層上に形成されたバリアー層と、
該バリアー層および前記隠蔽層上の全面に形成された感熱接着層とからなり、
前記可逆性感熱記録層はロイコ染料、顕減色剤を含み、可逆的に発色および消色を行い得るものであり、
前記バリアー層は紫外線硬化型樹脂を含むことを特徴とする可逆性感熱記録転写シート。」
(7)「【０００２】
【従来の技術】従来、書換え可能な感熱記録を磁気記録やＩＣメモリとともに同一の記録媒体に用いることが行われており、ＩＣカードや磁気カード等のプリペイドカード又はクレジットカード等の各種カードに可逆性感熱記録媒体を直接形成したり、また、シート状に加工された可逆性感熱記録媒体を強固な接着剤を介して一体として形成していた。これらの可逆性感熱記録媒体を備えたカードとしては、例えば、ＩＣメモリや磁気記録に加えて残高等の表示を可逆性感熱記録媒体上に記録することが可能である。
【０００３】このような可逆性感熱記録媒体の製造に使用される転写シートとして、特開平６−９９６５８号には、透明状態のものを不透明状態にあるいは不透明状態のものを透明状態に変化させることからなる透明／白濁タイプの転写シートが記載されている。この発明によれば、剥離剤層と、可逆性感熱記録層と、接着剤層とを有する転写層が基材シート上に形成され、この転写層を基材シートから剥離して各種の基体に転写され、加熱加圧により接着される。このような転写シートによりたとえばＩＤカードなどの磁気記録や表示のない部分に所望の形状に転写して所望の形状の可逆性感熱記録層を容易に形成できるというものである。一方、可逆性感熱記録層としては、透明／白濁タイプでは再現できる色が白に限られるため、豊富な色を選択でき、視認性に優れるロイコ染料を使用した発色タイプの可逆性感熱記録材料が利用されはじめている。」
　
３．対比・判断
　刊行物１には、プラスチックシート単体又はそれらを積層してなるカード基材に、支持体上に光反射層、樹脂母材と、この樹脂母材中に分散された有機低分子物質とを主成分とし温度に依存してその白濁・透明度が可逆的に変化する可逆性感熱記録層と、保護層を順次設けてなる可逆性感熱記録部を、接着剤を介して前記カード基材表面と面一に設けた可逆性感熱記録カード〔(1)〕、及び、実施例として、カード基材２の表面に、中央部に横方向の全巾に対して約３０％の巾の一端から他端まで達する可逆性感熱記録部５が形成され、全体として矩形を呈してなり、かつ、その可逆性感熱記録部５を挟むようにほぼ同じ巾の可逆性感熱記録部ではない二つの領域が形成された、可逆性感熱記録カード１〔(2)〜(5)〕が記載されている。
　そうすると、刊行物１には、カード基材の表面に、中央部に横方向の一端から他端まで達する、樹脂母材と、この樹脂母材中に分散された有機低分子物質とを主成分とし温度に依存してその白濁・透明度が可逆的に変化する可逆性感熱記録層である可逆性感熱記録部が形成され、全体として矩形を呈してなり、かつ、その可逆性感熱記録部を挟むようにほぼ同じ巾の、可逆性感熱記録部ではない二つの領域が形成された可逆性感熱記録カードが記載されていることになる。
　そこで、本願発明と刊行物１に記載された発明とを対比すると、
　後者の「カード基材」、「可逆性感熱記録部」、「領域」、「可逆性感熱記録カード」は、それぞれ前者の「支持体」、「記録領域」、「非記録領域」、「可逆性感熱記録媒体」に相当するから、
　両者は「支持体の表面に、中央部に横方向の一端から他端まで達する記録領域が形成され、その記録領域を挟むように二つの非記録領域が形成され、全体として矩形を呈してなり、かつ、該記録領域が可逆性感熱記録層である可逆性感熱記録媒体」である点で一致し、以下の点で相違する。
・相違点１：記録領域の可逆性感熱記録層が、本願発明では、電子供与性呈色性化合物と電子受容性化合物を主成分とし、加熱温度および／または加熱後の冷却速度の違いにより相対的に発色した状態と消色した状態に変化するのに対して、刊行物１に記載された発明では、樹脂母材と、この樹脂母材中に分散された有機低分子物質とを主成分とし温度に依存してその白濁・透明度が可逆的に変化する点。
・相違点２：全巾に対する記録領域と該記録領域を挟むような二つの非記録領域の比率が、本願発明では、記録領域が大きくとも５０％の巾であり、非記録領域が２５％以上の巾であるのに対して、刊行物１に記載された発明では特に規定がなく、実施例では記録領域が約３０％である点。
・相違点３：消色温度が、本願発明では、１３０〜１６０℃度であるのに対して、刊行物１に記載された発明では明示されていない点。
　
　上記相違点について検討する。
・相違点１について
　刊行物２には、透明状態のものを不透明状態にあるいは不透明状態のものを透明状態に変化させることからなる透明・白濁タイプの可逆性感熱記録媒体では色が白に限られるため、豊富な色を選択でき、視認性に優れるロイコ染料、顕減色剤を使用した発色タイプの可逆性感熱記録媒体が利用されていること〔(6),(7)〕が記載されている。
　そうすると、可逆性感熱記録媒体として、色が白に限られる透明・白濁タイプに代えて、色を選択でき、視認性に優れるロイコ染料、顕減色剤を使用した発色タイプのものを採用することは、当業者が容易に想到し得たことである。
・相違点２について
　記録領域の巾は、記録文字の大きさを決めるものであるから、必要に応じて適宜決定できることであり、その記録領域以外の部分が非記録領域となるが、刊行物１には、その非記録領域を記録領域を挟むような二つの非記録領域とすること〔(4),(5)〕が記載されている。
　そして、記録領域は全巾に対して約３０％の巾であるので、残りの記録領域を挟むような二つの非記録領域は全巾に対してそれぞれ３５％程度の巾ということになり、本願発明の、記録領域が大きくとも５０％の巾であり、非記録領域が２５％以上の巾であるという比率に含まれるものである。
　そうすると、全巾に対する記録領域と該記録領域を挟む二つの非記録領域の比率を記録領域が大きくとも５０％の巾であり、非記録領域が２５％以上の巾というように決定することは、当業者が容易になし得たことである。
・相違点３について
　加熱による発色と消色を繰り返す可逆性感熱記録媒体には、特開平７−３２３７２号公報、特開平７−９７６３号公報、特開平６−３４０１７２号公報、特開平５−２７８３３１号公報等に記載されるように、熱変形の小さい耐熱性の支持体を使用するものである。
　また、可逆性感熱記録媒体の消色温度について、特開平４−２９８８１号公報には１００〜２００℃であることが、特開平７−３２７３２号公報には９０〜１５０℃であることが、また、特開平２−１８８２９３号公報、特開平２−１８８２９４号公報には実施例として１３０℃で消色することが記載されている。
　しかも、本願明細書には、消色温度は通常１００〜１８０℃であり、実施例１においては１３０〜１４０℃及び実施例３においては１５０〜１６０℃であること（段落【００２７】、【００３８】、【００４２】）も記載されている。
　そうすると、本願発明の１３０〜１６０℃の消色温度は、普通の温度にすぎないものである。
　そして、可逆性感熱記録媒体の支持体には十分な耐熱性を示すもの、すなわちカールの小さいものを用いることが当然のことであるので、本願発明の消色の加熱によるカールが小さいという点が格別の効果であるということはできない。
　したがって、本願発明は、刊行物１、２に記載された発明、及び周知技術に基いて当業者が容易に発明をすることができたものである。
　
４．結論
　以上のとおり、本願の請求項１に係る発明は、本願出願前に頒布された刊行物１、２に記載された発明及び周知技術に基いて当業者が容易に発明をすることができたものと認められるから、特許法第２９条第２項の規定により特許を受けることができない。
　したがって、他の請求項についての判断を示すまでもなく、本願は拒絶すべきものである。
　よって、結論のとおり審決する。